(57)【要約】【課題】  ユーザが一の視聴契約で複数の放送受信再生装置において放送を視聴できるとともに、放送受信再生装置を購入したユーザのみに当該放送受信再生装置において放送を視聴させることが可能な放送受信再生装置、放送受信再生方法及びそのプログラムを提供すること。【解決手段】  放送受信再生装置１０は、メモリカード７０から契約者ＩＤ、装置ＩＤ及び契約期限情報を読み出し、それらのデータを用いて放送信号のスクランブル解除を行なって再生する。また再生した放送信号を装置ＩＤと関連付けてメモリカード７０へ記録する。契約者ＩＤで認証することにより、ユーザは、メモリカード７０を差し替えるだけで、一の契約のみで複数の放送受信再生装置で放送を視聴できる。また装置ＩＤでも認証することにより、ユーザが非購入の放送受信再生装置で放送が視聴されるのを防ぐことができる。【選択図】  図７
2007019867.tif 000002
【特許請求の範囲】
【請求項１】
放送センタからスクランブルされて放送される放送信号の受信契約者を識別する契約者識別情報及び当該受信契約者が購入した放送受信再生装置を識別する装置識別情報が記憶された可搬性の記憶媒体と接続する接続手段と、
前記放送信号を受信する受信手段と、
前記記憶媒体が接続された状態で、当該記憶媒体に記憶された契約者識別情報及び装置識別情報を用いて前記受信された放送信号のスクランブルを解除する解除手段と、
前記スクランブルを解除された放送信号を再生する再生手段と
を具備することを特徴とする放送受信再生装置。
【請求項２】
請求項１に記載の放送受信再生装置であって、
当該放送受信再生装置を識別する前記装置識別情報を予め記憶する手段と、
前記受信された放送信号を前記記憶媒体に記憶された装置識別情報と対応付けて当該記憶媒体へ記録する手段と、
前記記録された放送信号の再生権限の有無を、前記予め記憶された装置識別情報及び前記記憶媒体に記憶された装置識別情報により認証する手段と
を更に具備し、
前記再生手段は、前記認証により前記再生権限が有ると判断された場合に前記記録された放送信号を再生する手段を有することを特徴とする放送受信再生装置。
【請求項３】
請求項１に記載の放送受信再生装置であって、
前記記憶媒体には前記受信契約の有効期限に関する契約期限情報も記憶されており、
前記解除手段は、前記契約期限情報を基に、前記スクランブルの解除を規制する手段を有することを特徴とする放送受信再生装置。
【請求項４】
請求項１に記載の放送受信再生装置であって、
当該放送受信再生装置を識別する前記装置識別情報を記憶する手段と、
当該放送受信再生装置に前記記憶媒体が最初に接続されたときに、前記装置識別情報を前記記憶媒体へ書き込むとともに、当該装置識別情報を前記放送センタへネットワークを介して送信する手段と
を更に具備することを特徴とする放送受信再生装置。
【請求項５】
放送センタからスクランブルされて放送される放送信号の受信契約者を識別する契約者識別情報及び当該受信契約者が購入した放送受信再生装置を識別する装置識別情報が記憶された可搬性の記憶媒体と接続する接続手段と、
前記放送信号を受信する受信手段と、
前記記憶媒体が接続されたときに、前記記憶された契約者情報及び装置記憶情報を前記記憶媒体から読み出して記憶する記憶手段と、
前記記憶手段により記憶された契約者識別情報及び装置識別情報を用いて、前記受信された放送信号のスクランブルを解除する解除手段と、
前記スクランブルを解除された放送信号を再生する再生手段と
を具備することを特徴とする放送受信再生装置。
【請求項６】
放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、
前記放送信号を受信するステップと、
前記記憶媒体が接続された状態で、当該記憶媒体に記憶された契約者識別情報及び装置識別情報を用いて前記受信された放送信号のスクランブルを解除するステップと、
前記スクランブルを解除された放送信号を再生するステップと
を具備することを特徴とする放送受信再生方法。
【請求項７】
放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、
前記放送信号を受信するステップと、
前記記憶媒体が接続されたときに、当該記憶媒体に記憶された契約者情報及び装置記憶情報を前記記憶媒体から読み出して記憶するステップと、
前記読み出して記憶された契約者識別情報及び装置識別情報を用いて、前記受信された放送信号のスクランブルを解除するステップと、
前記スクランブルを解除された放送信号を再生するステップと
を具備することを特徴とする放送受信再生方法。
【請求項８】
放送受信再生装置に、
放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、
前記放送信号を受信するステップと、
前記記憶媒体が接続された状態で、当該記憶媒体に記憶された契約者識別情報及び装置識別情報を用いて前記受信された放送信号のスクランブルを解除するステップと、
前記スクランブルを解除された放送信号を再生するステップと
を実行させるためのプログラム
【請求項９】
放送受信再生装置に、
放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、
前記放送信号を受信するステップと、
前記記憶媒体が接続されたときに、当該記憶媒体に記憶された契約者情報及び装置記憶情報を前記記憶媒体から読み出して記憶するステップと、
前記読み出して記憶された契約者識別情報及び装置識別情報を用いて、前記受信された放送信号のスクランブルを解除するステップと、
前記スクランブルを解除された放送信号を再生するステップと
を実行させるためのプログラム。
【発明の詳細な説明】
【技術分野】
【０００１】
本発明は、例えば赤道上空の静止軌道に投入された静止衛星ＳＡＴを利用して配信されるＳバンド衛星デジタル放送に関連する技術であり、屋外に携帯したり、自動車に持ち込んだりしてそのような放送を受信して再生することが可能な放送受信再生装置、放送受信再生方法及びそのプログラムに関するものである。
【背景技術】
【０００２】
従来から、衛星放送等の有料放送においては、ＣＡＳ（Conditional Access System；限定受信システム）と呼ばれる視聴制限システムが用いられている。例えば、ユーザが、アンテナとチューナを購入して、放送センタと放送受信契約を結ぶと、衛星放送の放送センタは、各ユーザのチューナを識別する識別情報（ＩＤ）を用いて放送信号をスクランブルして放送し、ユーザはチューナに付属の、上記ＩＤが記憶されたいわゆるＣＡＳカードと呼ばれるＩＣカードをチューナに挿入することで上記スクランブルが解除されて放送を視聴可能となる。
【０００３】
しかしながら、上記ＣＡＳカードは、上記チューナ、すなわち機器自体を識別しており、チューナ毎に識別情報も異なっているため、一のユーザが複数の受信機において放送を視聴することを想定した場合、受信機毎に放送受信契約を結ぶ必要があり、利便性に欠けることとなる。
【０００４】
なお、有料サービスにおいて一の契約で複数の機器を使用可能とする技術として、携帯電話回線サービスにおけるＵＩＭ（User Identity Module）と呼ばれる可搬性の接触型ＩＣカードがある。当該ＵＩＭには、携帯電話回線の契約者情報が記憶されており、当該ＵＩＭカードを携帯電話機に差し込むだけで通話が可能となるため、ユーザは一の回線契約で複数の携帯電話機を使用することが可能となる。当該ＵＩＭに関する文献としては、例えば下記の特許文献１が挙げられる。
【特許文献１】特開平２００２−３４４６２０号公報
【発明の開示】
【発明が解決しようとする課題】
【０００５】
しかしながら、上記ＵＩＭを用いたシステムにおいては、ＵＩＭさえ持っていれば、携帯電話機の購入者であるか否かに関わらずどの携帯電話機においても無制限に通話することができるため、例えば他人から携帯電話機を無償で譲り受けたり、市場販売価格よりも安い値段で購入したりすることで通話ができるようになる。よって、このシステムを放送サービスに適用して、一の契約で複数の放送受信再生装置において放送を視聴することを考えた場合、どの放送受信再生装置においても無制限に放送が視聴できることとなり、放送事業者及び放送受信再生装置のメーカーにとっては、新規放送受信契約数や放送受信再生装置の販売数の減少に繋がりかねず、好ましくない。
【０００６】
本発明は、かかる事情に基づきなされたもので、ユーザが一の視聴契約で複数の放送受信再生装置において放送を視聴できるとともに、放送受信再生装置を購入したユーザのみに当該放送受信再生装置において放送を視聴させることが可能な放送受信再生装置、放送受信再生方法及びそのプログラムを提供することを目的とする。
【課題を解決するための手段】
【０００７】
上述の課題を解決するため、本発明の放送受信再生装置は、放送センタからスクランブルされて放送される放送信号の受信契約者を識別する契約者識別情報及び当該受信契約者が購入した放送受信再生装置を識別する装置識別情報が記憶された可搬性の記憶媒体と接続する接続手段と、前記放送信号を受信する受信手段と、前記記憶媒体が接続された状態で、当該記憶媒体に記憶された契約者識別情報及び装置識別情報を用いて前記受信された放送信号のスクランブルを解除する解除手段と、前記スクランブルを解除された放送信号を再生する再生手段とを具備する。
【０００８】
ここで上記放送信号は、映像信号と音声信号とが多重化されているものは勿論、音声信号のみのものも含む。また上記可搬性の記憶媒体とは例えばフラッシュメモリを内蔵したいわゆるメモリカードやＵＳＢ（Universal Serial Bus）メモリ等の小型の記憶媒体である。また上記契約者識別情報及び装置識別情報は、例えば数字や英文字、それらの組合せ等によるＩＤである。また装置識別情報は、例えば携帯型、車載型、家庭型等の装置種別を識別するとともに、各種別の各装置を識別するものであり、受信契約者が複数の放送受信再生装置を購入した場合には当該購入した台数分の識別情報が記憶される。当該装置識別情報には製造番号等を用いても構わない。また、上記スクランブルの解除は、上記契約者識別情報と装置識別情報の両方を用いて放送信号に施されたスクランブルを両識別情報の照合によって行ってもよいし、契約者識別情報でスクランブルされた放送信号の解除を装置識別情報によって規制するような態様であってもよい。
【０００９】
この構成により、上記契約者識別情報を用いることで、ユーザは上記記憶媒体を所有していれば、当該記憶媒体を放送受信再生装置へ接続すれば、複数の放送受信再生装置において放送を視聴することができ、一方で、上記装置識別情報を用いることで、ユーザが購入していない放送受信再生装置で放送を視聴することを防止することができる。
【００１０】
本発明の一の形態によれば、上記放送受信再生装置は、当該放送受信再生装置を識別する前記装置識別情報を予め記憶する手段と、前記受信された放送信号を前記記憶媒体に記憶された装置識別情報と対応付けて当該記憶媒体へ記録する手段と、前記記録された放送信号の再生権限の有無を、前記予め記憶された装置識別情報及び前記記憶媒体に記憶された装置識別情報により認証する手段とを更に具備し、前記再生手段は、前記認証により前記再生権限が有ると判断された場合に前記記録された放送信号を再生する手段を有していてもよい。
【００１１】
ここで上記記録とは、録画や録音をいう。これにより、ユーザは記録した放送番組を複数の放送受信再生装置で再生することができるとともに、上記装置識別情報による認証を行なうことで、当該記録された放送信号の再生を、当該ユーザが購入した放送受信再生装置においてのみ再生可能とし、私的使用のみに限定することで放送番組の著作権の保護も図ることが可能となる。
【００１２】
上記放送受信再生装置において、前記記憶媒体には前記受信契約の有効期限に関する契約期限情報も記憶されており、前記解除手段は、前記契約期限情報を基に、前記スクランブルの解除を規制する手段を有していてもよい。これにより、どの放送受信再生装置に上記記憶媒体が接続された場合でも、受信契約者が契約有効期限を過ぎても放送を視聴することを適切に防止することができる。
【００１３】
また、上記契約期限情報以外にも、例えば上記放送が複数チャンネルで行なわれ、チャンネル単位で視聴契約を行なう場合には、契約チャンネルに関する情報も上記記憶媒体に記憶して当該情報によってスクランブル解除を規制するようにしても構わない。
【００１４】
上記放送受信再生装置は、当該放送受信再生装置を識別する前記装置識別情報を記憶する手段と、当該放送受信再生装置に前記記憶媒体が最初に接続されたときに、前記装置識別情報を前記記憶媒体へ書き込むとともに、当該装置識別情報を前記放送センタへネットワークを介して送信する手段とを更に具備していてもよい。
【００１５】
上記ネットワークとは例えばインターネット等であり、上記送信手段はたとえば当該ネットワークへ接続するためのモデムやルータ等で構成される。この構成により、ユーザが新規に放送受信再生装置を購入する度に、記憶媒体に記憶される装置識別情報を更新することができるとともに、ユーザは購入の度に放送センタへ連絡する等の手間を踏むことなく、当該更新に合わせて放送センタ側のスクランブル等に必要な装置識別情報を自動的に更新させることができる。
【００１６】
本発明の他の観点に係る放送受信再生装置は、放送センタからスクランブルされて放送される放送信号の受信契約者を識別する契約者識別情報及び当該受信契約者が購入した放送受信再生装置を識別する装置識別情報が記憶された可搬性の記憶媒体と接続する接続手段と、前記放送信号を受信する受信手段と、前記記憶媒体が接続されたときに、前記記憶された契約者情報及び装置記憶情報を前記記憶媒体から読み出して記憶する記憶手段と、前記記憶手段により記憶された契約者識別情報及び装置識別情報を用いて、前記受信された放送信号のスクランブルを解除する解除手段と、前記スクランブルを解除された放送信号を再生する再生手段とを具備する。
【００１７】
上記記憶手段は、ＲＡＭ（Random Access Memory）等の揮発性のメモリであってもよいし、フラッシュメモリ等の不揮発性のメモリであってもよい。この構成により、ユーザが購入していない放送受信再生装置で放送を視聴することを防止しながら、ユーザは、複数の放送受信再生装置において放送を視聴することができるだけでなく、上記記憶媒体を一度接続して上記記憶手段により記憶しておけば、複数の放送受信再生装置において同時に放送を視聴することが可能となる。
【００１８】
本発明の放送受信再生方法は、放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、前記放送信号を受信するステップと、前記記憶媒体が接続された状態で、当該記憶媒体に記憶された契約者識別情報及び装置識別情報を用いて前記受信された放送信号のスクランブルを解除するステップと、前記スクランブルを解除された放送信号を再生するステップとを具備する。
【００１９】
また本発明の他の観点に係る放送受信再生方法は、放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、前記放送信号を受信するステップと、前記記憶媒体が接続されたときに、当該記憶媒体に記憶された契約者情報及び装置記憶情報を前記記憶媒体から読み出して記憶するステップと、前記読み出して記憶された契約者識別情報及び装置識別情報を用いて、前記受信された放送信号のスクランブルを解除するステップと、前記スクランブルを解除された放送信号を再生するステップとを具備する。
【００２０】
本発明のプログラムは、放送受信再生装置に、放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、前記放送信号を受信するステップと、前記記憶媒体が接続された状態で、当該記憶媒体に記憶された契約者識別情報及び装置識別情報を用いて前記受信された放送信号のスクランブルを解除するステップと、前記スクランブルを解除された放送信号を再生するステップとを実行させるためのものである。
【００２１】
また本発明の他の観点に係るプログラムは、放送受信再生装置に、放送センタからスクランブルされて放送される放送信号の受信契約者を識別する契約者識別情報及び当該受信契約者が購入した放送受信再生装置を識別する装置識別情報が記憶された可搬性の記憶媒体と接続するステップと、前記放送信号を受信するステップと、前記記憶媒体が接続されたときに、当該記憶媒体に記憶された契約者情報及び装置記憶情報を前記記憶媒体から読み出して記憶するステップと、前記読み出して記憶された契約者識別情報及び装置識別情報を用いて、前記受信された放送信号のスクランブルを解除するステップと、前記スクランブルを解除された放送信号を再生するステップとを実行させるためのものである。
【発明の効果】
【００２２】
本発明によれば、ユーザが一の視聴契約で複数の放送受信再生装置において放送を視聴できるとともに、放送受信再生装置を購入したユーザのみに当該放送受信再生装置において放送を視聴させることができる。
【発明を実施するための最良の形態】
【００２３】
以下、本発明の実施の形態を図面に基づき説明する。  
図１は、本発明の一実施形態に係る衛星デジタル放送受信再生システムの構成を示した図である。同図に示すように、本システムは、放送センタ１、放送衛星２、放送受信再生装置１０とで構成される。
【００２４】
放送センタ１からは、マルチチャンネルによるデジタル放送信号がアップリンクを介して放送衛星２へ送信され、当該放送衛星２から放送信号が、例えばＳバンド（例えば2.6GHz帯）を使用して地上に送信される。そして、当該放送信号等が地上の放送受信再生装置１０によって受信され、再生されることでユーザはデジタル放送を視聴する。
【００２５】
なお、当該衛星デジタル放送における放送信号の伝送にはマルチパス環境においても良好な受信が可能なＣＤＭ（Code Division Multiplexing；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００２６】
また、放送センタ１と放送受信再生装置１０とは、例えばインターネット等のネットワーク３を介して相互に通信可能となっている。
【００２７】
図２は本発明の一実施形態に係る放送受信再生装置１０の外観を示す正面図であり、図３は図２に示す放送受信再生装置本体を車載用クレードルから外した状態を示す斜視図であり、図４は車載用クレードルの背面図である。
【００２８】
これらの図に示すように、この放送受信再生装置１０は、自動車の例えばダッシュボードに搭載される車載用クレードル２０と、この車載用クレードル２０に対して着脱自在であり、外部アンテナ１０１を介して受信した衛星放送を受信して映像信号及び音声信号を出力する放送受信再生装置本体３０とから構成される。
【００２９】
車載用クレードル２０の後部背面側には、外部アンテナ１０１のケーブル１０２の端部に取り付けられたコネクタが接続される２つのアンテナ接続端子２１と、自動車のギアーレバーが「Ｐ（パーキング）」に設定されているか否かを検出するパーキング検出スイッチ１０４のケーブル１０５の端部に取り付けられた端子が接続されるスイッチ接続端子２２と、自動車に搭載されたカーバッテリ１０７に接続された電源ケーブル１０８の端部に取り付けられた端子が接続される電源端子２３と、映像信号及び音声信号を出力する信号出力端子２４とが設けられている。
【００３０】
信号出力端子２４は、例えば自動車に搭載されたカーナビゲーションシステム１１０におけるＡＶ信号入力ケーブル１１１の端部に取り付けられた端子が接続されるようになっている。カーナビゲーションシステム１１０では、信号出力端子２４から出力された映像信号及び音声信号に基づき表示部に映像が表示され、スピーカから音声が出力されるようになっている。
【００３１】
車載用クレードル２０は、放送受信再生装置本体３０を収容するための収容するための収容部２５を有する。収容部２５の正面は、収容された放送受信再生装置本体３０の正面を外部に露出できるように開口している。車載用クレードル２０の後部には、収容された放送受信再生装置本体３０の凹部（図示を省略）に対して係止可能に係止部２６が設けられている。この係止部２６は、車載用クレードル２０に後部背面に設けられたレバー２６ａと後部表面にその表面から突出可能に設けられた突起部２６ｂとを有する。レバー２６ａと突起部２６ｂとは一体化されており、且つ、車載用クレードル２０内で回転可能に取り付けられている。車載用クレードル２０が収容部２５に収容された状態で、係止部２６におけるレバー２６ａを回転させると突起部２６ｂが放送受信再生装置本体３０の凹部に対して係止し、車載用クレードル２０が収容部２５から抜けないようにされている。車載用クレードル２０を収容部２５から取り外すときには、係止部２６におけるレバー２６ａを回転させて突起部２６ｂを放送受信再生装置本体３０の凹部から外し、車載用クレードル２０を上方向に引っ張ればよい。
【００３２】
車載用クレードル２０の収容部２５における底部のほぼ中央面には、放送受信再生装置本体３０に設けられた接続端子群３１と接続可能な接続端子群２７と、接続端子群３１の両側に設けられたアンテナ接続用のコネクタ３２と接続可能な２つのアンテナ接続用のコネクタ２８とが設けられている。そして、車載用クレードル２０が収容部２５に収容したときに、接続端子群３１と接続端子群２７及びコネクタ３２とコネクタ２８とが接続されるようになっている。
【００３３】
放送受信再生装置本体３０の正面には、電源をオン・オフするための電源ボタン３３、設定メニューを表示するためのメニューボタン３４、映像モード／音声モードを切り替えるモードボタン３５、音声多重放送などで音声を切り替えるクイックボタン３６、番組情報、設定項目などの各種情報を文字で表示する液晶ディスプレイ３７、視聴するチャネルを選択すると共にメニューなどの操作で選択した項目の確定に用いるジョグダイアル３８、お気に入りのチャネルを登録しワンタッチで呼び出す（プリセット機能）ときに使用すると共にオプション設定でパスワードなどを入力するときに使用する数字キー３９、及び受信した放送信号を記録（録画・録音）するための記録ボタン１００とが設けられている。
【００３４】
また放送受信再生装置本体３０の上面には、メモリカード７０を挿入するためのメモリカードスロット６０が設けられている。当該メモリカード７０は、放送センタ１から放送される放送信号に施されたスクランブルを解除するために用いられ、また受信された放送番組を記録する記録媒体としても用いられる。メモリカード７０、スクランブル解除処理及び番組の記録処理の詳細については後述する。
【００３５】
図５はこの放送受信再生装置１０の構成を示すブロック図である。  
同図に示すように、放送受信再生装置本体３０は、フロントエンド部４０と、バックエンド部５０とからその主要部が構成されている。
【００３６】
フロントエンド部４０は、外部アンテナ１０１から入力された放送信号（ＲＦ信号）をダウンコンバートし、復調部に渡すためのＲＦダウンコンバート部４１と、その放送信号を復調する復調部４２と、限定受信にされている有料放送において受信契約の有無に応じて放送信号のスクランブル解除を実行するか否かを規制するコンディショナル・アクセス（ＣＡ）部４３と、フロントエンド部４０全体を制御するフロントエンド制御部４４とを有する。
【００３７】
バックエンド部５０は、フロントエンド部４０により復調された信号を復号するデコーダ５１と、復号化されたデジタル信号をアナログの音声信号に変換するデジタル・アナログ・コンバータ５２と、復号化されたデジタル信号を例えばＮＴＳＣ画像信号に変換するグラフィック・ディスプレイ・コントローラ５３と、グラフィック・ディスプレイ・コントローラ５３からの出力を外部及び液晶ディスプレイ３７に出力するか否かを切り替える切り替えスイッチ５４と、リモコン（図示を省略）からコントロール信号を入力するためのリモコン信号受信部５５と、装置全体を包括的に制御するための主制御部５６と、その他ＲＡＭ５７やＲＯＭ５８などを備える。ＲＯＭ５８には、当該放送受信再生装置を識別するための装置ＩＤが記憶される。
【００３８】
切り替えスイッチ５４は、車載用クレードル２０のスイッチ接続端子２２に接続されたパーキング検出スイッチ１０４のオン・オフに応じて、信号出力端子２４を介して自動車に搭載されたカーナビゲーションシステム１１０に対して映像信号を送出するか否かの切り替えと、液晶ディスプレイ３７に表示するための表示信号を出力するか否かを切り替えとを行うものである。
【００３９】
具体的には、例えば自動車のチェンジレバーがパーキング以外の例えばドライブ「Ｄ」に設定されると、パーキング検出スイッチ１０４はオフとなり、これに応じて切り替えスイッチ５４はオフとなる。このとき、デコーダ５１及びグラフィック・ディスプレイ・コントローラ５３を介してカーナビゲーションシステム１１０における表示部に表示するための映像信号及び液晶ディスプレイ３７に表示するための表示信号は出力されているが、これらの信号は切り替えスイッチ５４でいわば廃棄された状態にある。よって、カーナビゲーションシステム１１０における表示部及び液晶ディスプレイ３７には何も表示されない。
【００４０】
この状態から、自動車のチェンジレバーがパーキング「Ｐ」に設定されると、パーキング検出スイッチ１０４がオンとなり、これに応じて切り替えスイッチ５４はオンとなる。デコーダ５１及びグラフィック・ディスプレイ・コントローラ５３を介してカーナビゲーションシステム１１０における表示部に表示するための映像信号及び液晶ディスプレイ３７に表示するための表示信号は、切り替えスイッチ５４を介してカーナビゲーションシステム１１０における表示部及び液晶ディスプレイ３７にそれぞれ即座に出力されることになる。従って、ユーザは自動車のチェンジレバーがパーキング「Ｐ」に設定すると即座に映像や情報を見ることができる。また、本実施例において再生に供される信号のデータは伝送時に発生するエラーに対エラー訂正能力を高めるためにパリティデータを伴ったインターリーブ形式で伝送されている。従って、デコーダ５１はこのインターリーブされたデータを正しくディインターリーブするための機能とパリティビットに基づくパリティチェックによるエラー訂正機能を備えており、これらの機能によりデコード処理を行って再生信号が正確に再生されるようにしている。これらの機能には相応の処理時間を要するので予め映像や情報に係る信号にデコード処理を施しておくということは映像や情報の再生の迅速性に多大なる効果を奏することになる。
【００４１】
なお、デジタル・アナログ・コンバータ５２から出力される音声信号に関しては切り替えスイッチ５４を介することなく直接カーナビゲーションシステム１１０におけるスピーカから出力されるようになっているので、ユーザは自動車の走行や停止にかかわりなく音声を聞くことができる。
【００４２】
また、放送受信再生装置本体３０には、上記ネットワーク３と接続するための通信部６２が設けられる。当該通信部６２により、放送受信再生装置１０は上記放送センタ１と通信を行なうことが可能となっている。
【００４３】
更に、放送受信再生装置本体３０の、上記図３のメモリカードスロット６０の内部には、上記メモリカード７０と接続するためのインターフェース部６１が設けられている。当該メモリカードスロット６０を介してインターフェース部６１にメモリカード７０が接続されると、上記主制御部５６は当該メモリカード７０に記憶されたデータをＲＡＭ５７に読み出し、上記コンディショナル・アクセス部４３に、当該データを用いてスクランブル解除処理を行わせる。また、当該スクランブル解除された放送信号、すなわち放送番組等のコンテンツを、インターフェース部６１を介してメモリカード７０に記録する。なお本実施形態において放送センタ１から放送される番組には、映像と音声からなる番組は勿論、音声のみの番組もある。
【００４４】
図６は、当該メモリカード７０の構成を示した図である。同図に示すように、メモリカード７０は、ＣＰＵ７１、外部インターフェース７２、ＲＯＭ７３、ＲＡＭ７４及びフラッシュメモリ７５を有し、各部はバスで接続されている。
【００４５】
ＣＰＵ７１は、上記放送受信再生装置１０との間で行なわれる通信におけるメモリカード７０の全体の動作を制御する。外部インターフェース７２は、放送受信再生装置本体３０のインターフェース部６１と接続してデータ転送を行なうためのインターフェースであり、例えば複数本のピン端子等で構成される。ＲＯＭ７３には、ＣＰＵ７１により実行される各種プログラムが格納されている。またＲＡＭ７４は、ＣＰＵ７１のワークエリアとして用いられ、ＣＰＵ７１により実行されるプログラムや各種データが一時的に格納される。
【００４６】
フラッシュメモリ７５は、データの消去及び書き込みを自由に行なえる不揮発性のメモリであり、当該フラッシュメモリ７５内には、当該衛星デジタル放送の受信契約者を識別するための契約者ＩＤ７６、当該受信契約者が購入した放送受信再生装置を識別するための装置ＩＤ７７、上記放送受信契約の有効期限を示す契約期限情報７８及び上記放送番組等を記録したコンテンツ７９等が記憶される。
【００４７】
上記契約者ＩＤ７６は、例えば放送受信契約時に放送センタ１から各契約者に割り振られるものであり、契約者が放送センタ１から当該メモリカード７０を購入するときに書き込まれる。また装置ＩＤ７７は、各受信契約者が放送受信再生装置を購入する度に、購入した放送受信再生装置の台数分記憶される。当該装置ＩＤの記憶処理については後述する。契約期限情報７８は、例えば受信契約の終了日を示しており、２００５年の１２月３１日までの契約であれば「０５／１２／３１」というようなデータ形式で記憶される。コンテンツ７９は、受信した放送番組（映像と音声からなる番組や、音声のみの番組）をデジタルデータとして例えば番組毎に記録したものであり、記録後はユーザの指示に基づいていつでも再生することが可能となっている。
【００４８】
なお、当該メモリカード７０としては、例えばＳＤメモリカード、スマートメディア（登録商標）、コンパクトフラッシュ（登録商標）、メモリースティック、ＭＭＣ（マルチメディアカード）、ＩＣカード等、様々なものを用いることができる。
【００４９】
次に、本実施形態における放送受信再生装置１０の動作について説明する。図７は、放送受信再生装置１０において放送信号が再生される際の動作の流れを示したフローチャートである。
【００５０】
同図に示すように、まず、放送受信再生装置１０は、外部アンテナ１０１で放送信号を受信し（ステップ８１）、当該放送信号をＲＦダウンコンバート部４１においてダウンコンバートした後、復調部４２において復調する（ステップ４２）。続いて、インターフェース部６１を介して、メモリカード７０から上記記憶された契約者ＩＤ７６、装置ＩＤ７７及び契約期限情報７８を例えばＲＡＭ５７に読み出す（ステップ８３）。そして、上記コンディショナル・アクセス部４３は、復調された放送信号に含まれる契約者ＩＤと、上記読み出した契約者ＩＤ７６とが一致するか否かを判断し（ステップ８４）、一致する場合（ステップ８４のＹＥＳ）には、同じく放送信号に含まれる装置ＩＤ７７が、上記読み出した装置ＩＤ７７のうちの一つと一致するか否かを判断する（ステップ８５）。一致する場合（ステップ８５のＹＥＳ）には更に、読み出した契約期限情報を参照して契約期限内か否かを判断し（ステップ８６）、契約期限内である場合（ステップ８６のＹＥＳ）には、上記契約者ＩＤ７６及び装置ＩＤ７７を用いて上記放送信号に施されたスクランブルを解除する（ステップ８７）。
【００５１】
そして、当該スクランブル解除した放送信号をデコーダ５１によりデコードして（ステップ８８）、音声信号及び映像信号（音声のみの放送の場合には音声信号のみ）をカーナビゲーションシステム１１０から出力再生する（ステップ８９）。またこのとき液晶ディスプレイ３７には放送信号に含まれるデータを参照して例えば番組名やチャンネル等の番組情報が表示される。なお、上述したように自動車のチェンジレバーがパーキング「Ｐ」に設定されていない場合には、映像信号は出力されない。
【００５２】
また、当該再生中にユーザが記録ボタン１００を押下した場合若しくはリモコン等で番組の記録指示を入力した場合には（ステップ９０）、主制御部５６は当該番組の放送信号を上記読み出した装置ＩＤ７７と関連付けて（より具体的には、例えば装置ＩＤ７７によって暗号化して）、コンテンツ７９としてメモリカード７０のフラッシュメモリ７５へ記録する（ステップ９１）。なお、当該コンテンツは例えば映像データはＭＰＥＧ−４（Moving Picture Experts Group phase 4）、音声データはＡＡＣ（MPEG-2 Advanced Audio Coding）等のフォーマット形式で記録される。
【００５３】
以上の動作により、上記放送信号の再生権限を、上記メモリカード７０に記憶された上記契約者ＩＤで認証しているため、ユーザは、上記メモリカード７０を保持して放送受信再生装置１０へ接続するだけで、一の視聴契約で複数の放送受信再生装置において放送を視聴できるとともに、上記再生権限を装置ＩＤによっても認証することにより、放送センタ１側は、当該放送受信再生装置１０を購入したユーザのみに放送を視聴させることができる。
【００５４】
すなわち、ユーザは、当該放送受信再生装置１０以外にも放送受信再生装置を購入した場合には、上記メモリカード７０を入れ替えるだけで容易に放送を視聴することが可能となる。
【００５５】
次に、上記記録したコンテンツ７９を再生する場合の動作について説明する。図８は、この場合の動作の流れを示したフローチャートである。同図に示すように、放送受信再生装置１０にメモリカード７０が接続された状態で、ユーザからリモコン操作やボタン等の押下操作により、当該メモリカード７０に記録されたコンテンツ７９の再生指示が入力された場合には（ステップ１２１）、主制御部５６は、上記ＲＯＭ５８に記憶された装置ＩＤを読み出し（ステップ１２２）、一方でメモリカード７０に記憶されたコンテンツ７９を読み出す（ステップ１２３）。そして、上記ＲＯＭ５８から読み出した装置ＩＤと、コンテンツ７９に関連付けて記憶された（埋め込まれた）装置ＩＤとを比較して（ステップ１２４）、一致する場合には（ステップ１２４のＹＥＳ）、当該コンテンツの再生を許可する（ステップ１２５）。一致しない場合には（ステップ１２４のＮＯ）、例えば液晶ディスプレイ３７又はカーナビゲーションシステム１１０の表示部に、コンテンツの再生権限が無いことを示すエラー表示をする（ステップ１２６）。
【００５６】
以上の動作により、ユーザは、メモリカード７０に一度記録したコンテンツ７９を、自身が購入したどの放送受信再生装置においても再生させることができ、放送センタ１側も、ユーザが購入した放送受信再生装置に限って再生を許可することで、コンテンツの利用を私的利用に限って著作権の保護を図ることができる。
【００５７】
次に、上記装置ＩＤをメモリカード７０に記憶する際の動作について説明する。図９は、当該動作の流れを示したフローチャートである。
【００５８】
ユーザが放送受信再生装置１０を購入した段階では、当該放送受信再生装置１０の装置ＩＤはメモリカード７０に記憶されていない。そこで、同図に示すように、まず主制御部５６は、インターフェース部６１を介してメモリカード７０が初めて接続されたと判断した場合には（ステップ１３１のＹＥＳ）、ＲＯＭ５８から装置ＩＤを読み出し（ステップ１３２）、当該装置ＩＤをメモリカード７０のフラッシュメモリ７５へ書き込む（ステップ１３３）。そして、当該書き込んだ装置ＩＤを、メモリカード７０から読み出した契約者ＩＤとともに、通信部６２によりネットワーク３を介して放送センタ１へ送信する。初めて接続されたか否かは、例えば初期状態を示すフラグをＯＮに設定しておき、メモリカード７０がインターフェース部６１に接続されたときに当該フラグをＯＦＦにすればよい。
【００５９】
放送センタ１では、受信契約者毎に契約者ＩＤをデータベース管理しているが、上記動作により放送受信再生装置１０から契約者ＩＤ及び装置ＩＤを受信すると、当該契約者ＩＤを対応付けて当該装置ＩＤを記憶する。また、既に当該契約者ＩＤに対応した装置ＩＤが記憶されている場合には、上記受信された装置ＩＤを追加してデータベースを更新する。そして、当該契約者ＩＤ及び装置ＩＤを用いて放送信号をスクランブルして放送する。これにより、ユーザは、放送受信再生装置１０を購入した場合にはメモリカード７０を接続させるだけで、メモリカード７０に装置ＩＤを記憶させることができるともに、放送センタ１側は、ユーザや販売店からの電話や書面等による連絡を受けなくとも、上記装置ＩＤを受信することで容易に各契約者の購入した放送受信再生装置を把握することができ、当該装置ＩＤを用いて、正規の購入ユーザのみに放送を視聴させ、またコンテンツを再生させることができる。
【００６０】
以上説明したように、本実施形態によれば、ユーザが複数の放送受信再生装置を購入した場合でも、メモリカード７０さえ保持していれば、新たに受信契約を結ぶことなくどの放送受信再生装置においても放送を視聴することができる。例えば自動車を複数台有するユーザが各自動車に上記車載型の放送受信再生装置１０を搭載して、メモリカード７０を持ち運ぶことによって各自動車内で放送を視聴するようなこともできる。
【００６１】
また、放送受信再生装置の種類としては、上記車載型のものだけでなく、例えば放送受信機能を有しノートＰＣのＰＣカードスロットへ挿入してノートＰＣにおいて放送信号を再生可能なカード型放送受信装置が挙げられる。以下、当該カード型放送受信装置について説明する。
【００６２】
当該カード型放送受信装置及びノートＰＣを用いて放送を受信再生する場合、放送の受信から映像及び／又は音声の再生までの処理のうち、放送の受信や当該放送信号の復調等の処理をノートＰＣ３００のＰＣカードスロット３０２に挿入したカード型放送受信装置１０により実行している。まず、当該カード型放送受信装置１０について説明する。
【００６３】
図１０はカード型放送受信装置の外観を示す斜視図であって、アンテナ収容ケースを折り畳んだ状態を示している。図１１は当該カード型放送受信装置の外観を示す図であって、アンテナ収容ケースを開いた状態を示している。図１２は当該カード型放送受信装置がノートＰＣのＰＣカードスロットに挿入された状態を示している。
【００６４】
これらの図に示すように、このカード型放送受信装置２００は、ノートＰＣ３００のＰＣカードスロット３０２に挿入可能とされている。  
このカード型放送受信装置２００は、ノートＰＣ３００のＰＣカードスロット３０２内に収容されるカード本体２２０と、このカード本体２２０と一体化され、かつ、カード本体２２０がＰＣカードスロット３０２内に収容されたときに当該カードスロット３０２より外側に露出する外出部２３０とを有する。
【００６５】
カード本体２２０は、長方形で金属製の筺体２２１と、筺体２２１の一辺側（外出部２３０がある側とは反対側の辺）に設けられたコネクタ２２２とを有する。コネクタ２２２は、メス型であり、カード本体２２０がＰＣカードスロット３０２内に収容されたときにＰＣカードスロット３０２内の対応する位置に設けられたオス型のコネクタ（図示せず）に接続されるようになっている。なお、カード本体２２０の表面には、商品の名称や注意書き等が印刷されたシール（図示せず）が貼られている。
【００６６】
外出部２３０は、カード本体２２０がＰＣカードスロット３０２内に収容される第１の方向（Ｘ方向）にカード本体２２０から延在された第１のケース２３１と、第１のケース２３１におけるＸ方向と直交する方向（Ｙ方向）の両側の枢着部２３２にそれぞれ枢着された２つの第２のケース（アンテナ収容ケース）２３３とを有する。第１のケース２３１は、例えばカード本体２２０より僅かに厚く、且つ、僅かに幅が大きいプラスチック製のケースであり、カード本体２２０におけるコネクタ２２２が設けられた辺とは反対側の辺に突き出るように設けられている。
【００６７】
第１のケース２３１の表面２３４のほぼ中央には、Ｘ方向に所定の間隔をもって配置され、それぞれＹ方向に延びる２つのゴム製のクッション部材２３５が取り付けられている。なお、第１のケース２３１の裏面には、商品特定用のバーコードが印刷されたシール（図示せず）が貼られている。
【００６８】
２つの第２のケース２３３は、左右対称の形状を有しており、第２のケース２３３の折り畳み時には第２のケース２３３の表面２３６が第１のケース２３１の表面２３４と対面して第１のケース２３１と第２のケース２３３とが一体化して形状となり、各第２のケース２３３をＹ方向に開いたとき、つまりこの放送受信再生装置２００の使用時には２つの第２のケース２３３の表面２３６が第１のケース２３１の表面２３４と同じ方向（仰向き）となるように、枢着部２３２を介してカード本体２２０に枢着されている。
【００６９】
各第２のケース２３３の表面２３６には、それぞれ十字上の溝２３７が設けられている。また、各第２のケース２３３の表面２３６のＹ方向の外側２箇所には突起部２３８が設けられている。この突起部２３８は、第２のケース２３３の折り畳み時に、第１のケース２３１の表面２３４に取り付けられたクッション部材２３５に当接するようになっている。これにより、第２のケース２３３の折り畳み時の機械的ショックが第１のケース２３１及び第２のケース２３３に極力影響しないようにされている。
【００７０】
各第２のケース２３３の第１のケース２３１がある側とは反対側の側面には、外部アンテナ接続端子２３９が設けられている。外部アンテナ接続端子２３９にはゴム製のキャップ２４０が取り付けられている。
【００７１】
図１３はこの実施形態に係るカード型放送受信装置２００の内部構成を示すブロック図である。  
同図に示すように、第２のケース２３３内には、平面型のパッチアンテナ２４１、ＬＮＡ（ローノイズアンプ）２４２及びアンテナ切り替え部２４３が収容されている。ＬＮＡ２４２は、パッチアンテナ２４１又は外部アンテナから入力された放送信号（ＲＦ信号）を増幅する増幅器である。アンテナ切り替え部２４３は、外部アンテナ接続端子２３９に外部アンテナが接続されたとき、当該接続による力によって平面型のパッチアンテナ２４１に代えて外部アンテナからの信号がＬＮＡ２４２に入力されるように切り替えるものである。外部アンテナが外されたときには、その逆の動作が行われる。
【００７２】
図１４に示すように、平面型のパッチアンテナ２４１は、第２のケース２３３の表面２３６側に指向性を有するアンテナである。この平面型のパッチアンテナ２４１の裏面に、ＬＮＡ２４２及びアンテナ切り替え部２４３が配置されている。
【００７３】
第１のケース２３１内には、増幅されたＲＦ信号を復調部に渡すためにダウンコンバートするＲＦダウンコンバート部２４４が設けられている。
【００７４】
図１５に示すように、このＲＦダウンコンバート部２４４を構成する素子における第１のケース２３１の表面２３４側には、グランドに接地された金属製の板状部材２４５により覆われている。これにより、ＲＦダウンコンバート部２４４から発生する熱をより効果的に放熱することが可能となり、ＲＦダウンコンバート部２４４から発生するノイズがＬＮＡ２４２に回り込むことがなくなる。
【００７５】
カード本体２２０内には、ＲＦダウンコンバート部２４４によりダウンコンバートされたＲＦ信号を復調する復調部２４６、限定受信にされている有料放送において受信契約の有無に応じて放送信号のスクランブル解除を実行するか否かを規制するコンディショナル・アクセス（ＣＡ）部２４７、ノートＰＣ３００との間でインターフェースを図ると共にノートＰＣ３００側に送出する復調された信号を暗号化するインターフェース部２４８及びコネクタ２２２が設けられている。なお、カード本体２２０内には、これらの要素の他に、装置全体を包括的に制御するための制御部やＲＡＭ(Random Access Memory)、ＲＯＭ(Read Only Memory)及びフラッシュメモリ、ノートＰＣ３００から供給された電力を各部に供給するための電源部等（以上、図示を省略）を備える。フラッシュメモリには上記車載型の放送受信再生装置１０と同様に、当該カード型放送受信装置２００を識別するための装置ＩＤが記憶される。装置ＩＤはＲＯＭに記憶されていてもよい。
【００７６】
以上の第１のケース２３１内及びカード本体２２０内の各構成部品は１枚の共通の基板２４９上に実装されている。
【００７７】
次に、上記のようなカード型放送受信装置２００が接続されるノートＰＣ３００について説明する。図１６は、ノートＰＣ３００の構成を示したブロック図である。
【００７８】
同図に示すように、ノートＰＣ３００は、ＰＣカードインターフェース部３７１、デコーダ３７２、グラフィックコントローラ３７３、Ｄ／Ａ（デジタル／アナログ）コンバータ３７４、表示部３７５、音声出力部３７６、操作入力部３７７、バッテリ３７８、ＨＤＤ３７９、ＣＰＵ３８０、ＲＡＭ３８１、ＲＯＭ３８２、通信部３８３、メモリカードインターフェース部３８４で構成され、それらはバス３８５で接続されている。
【００７９】
ＰＣカードインターフェース部３７１は、ノートＰＣ３００とカード型放送受信装置２００とを接続するインターフェースとなる。当該ＰＣカードインターフェース部３７１は具体的には上述したＰＣカードスロット３０２であり、当該スロット３０２内のオス型のコネクタが上記カード型放送受信装置２００のメス型のコネクタ２２２と接続することで、カード型放送受信装置２００の上記復調部２４６において復調され、インターフェース部２４８において暗号化された信号がノートＰＣ３００内に送入される。
【００８０】
デコーダ３７２は、上記ＰＣカードインターフェース部３７１を介して送入されたデジタル信号の処理を行う。具体的には、暗号化されたデジタル信号を復号するとともに、例えばＭＰＥＧ−２のＴＳ（トランスポートストリーム）方式で圧縮されたデジタル信号をＭＰＥＧ−２の規定に従ってデコードする。当該デコードされたデジタル信号のうち、映像信号はグラフィックコントローラ３７３へ送られ、音声信号はＤ／Ａコンバータ３７４へ送られる。更に、データ信号又はＳＩ／ＰＳＩ信号からは、各チャンネルで放送される番組の番組内容が記述されたＥＰＧデータが抽出され、ＲＡＭ３８１へ記憶される。なお、本実施形態においては、デコーダ３７２はソフトウェアにより実現されるが、ハードウェアによって実現されても勿論構わない。
【００８１】
グラフィックコントローラ３７３では、受信したデジタル映像信号が例えばＮＴＳＣ画像信号に変換され、当該ＮＴＳＣ画像が、例えばＬＣＤ等でなる表示部３７５へ表示される。また、Ｄ／Ａコンバータ３７４では、デジタル音声信号がアナログ音声信号へ変換され、当該アナログ音声信号が音声出力部３７６から出力される。
【００８２】
操作入力部３７７は、例えばキーボード、マウス、トラックパッド、タッチパネル、操作ボタン等でなり、番組を再生又は録画したり、番組情報を表示したりする際のユーザの操作を入力する。またバッテリ３７８は、ノートＰＣ３００の電源を供給すると共に、上記ＰＣカードインターフェース部３７１を介してカード型放送受信装置２００へ電力を供給する。
【００８３】
ＨＤＤ３７９は、ＯＳや各種アプリケーション等、ノートＰＣ３００を動作させるために必要なプログラムや、放送番組を記録した映像又は音声ファイル等の各種データを格納している。本実施形態においてデジタル放送を視聴するための放送視聴アプリケーション３８６も当該ＨＤＤ３７９に格納される。
【００８４】
ＣＰＵ３８０は、ＲＯＭ３８２に格納されている制御プログラムや、上記放送視聴アプリケーション３８６のような各種アプリケーションやプログラム、各種データをＲＡＭ３８１に展開し、上記操作入力部３７７から入力されたユーザの指示に基づいて、各種ハードウェアや、アプリケーション及びプログラムの処理を行い、ノートＰＣ３００の全体の動作を制御する。
【００８５】
通信部３８３は、例えばモデム等からなり、電話回線等を介して上記ネットワーク３へ接続し、上記放送センタ１等との通信を可能とするものである。
【００８６】
メモリカードインターフェース部３８４は、上記車載型の放送受信再生装置１０と同様、メモリカード７０と接続するためのインターフェースであり、メモリカードインターフェース部３８４にメモリカード７０が接続されると、上記ＣＰＵ３８０は当該メモリカード７０に記憶されたデータ（契約者ＩＤ７６、装置ＩＤ７７及び契約期限情報７８）を、ＰＣカードインターフェース部３７１を介してカード型放送受信装置２００へ送信し、当該カード型放送受信装置２００の上記コンディショナル・アクセス部２４７に、当該データを用いてスクランブル解除処理を行わせる。また、ＣＰＵ３８０は、当該メモリカードインターフェース部３８４を介してメモリカード７０に記録されたコンテンツを読み出して、当該コンテンツの再生を行なわせる。
【００８７】
次に、上記ＨＤＤ３７９に格納された放送視聴アプリケーション３８６及び各データについて説明する。図１７は、当該放送視聴アプリケーション３８６及びデータの詳細を示した図である。
【００８８】
同図に示すように、ＨＤＤ３７９には、放送視聴アプリケーション３８６及び記録されたコンテンツ３９３が格納される。
【００８９】
放送視聴アプリケーション３８６は、放送再生プログラム３９１、放送記録プログラム３９２で構成される。  
放送再生プログラム３９１は、上記デジタル信号のデコードや、表示部３７５及び音声出力部３７６への出力等、受信された放送の再生に必要な処理を行なうプログラムである。  
放送記録プログラム３９２は、受信された放送番組をＨＤＤ３７９へ記録するためのプログラムである。なお、当該記録の際には、デコーダ３７２における復号処理は行われず、ＰＣカードインターフェース部３７１を介して送入された、暗号化されたままの映像／音声信号がコンテンツとして記録される。このとき、ＣＰＵ３８０は上記カード型受信装置２００の装置ＩＤをＰＣカードインターフェース部３７１を介して読み出し、記録したコンテンツのファイル中に当該ＩＤを埋め込む。そして、当該記録したコンテンツを再生する際には、上記記録時の装置ＩＤと同一の装置ＩＤを有するカード型受信装置２００の接続をＣＰＵ３８０が認識した上で、デコーダ３７２で復号されて再生される。勿論、当該コンテンツは、ＨＤＤ３７９の代わりにメモリカード７０に記録するようにしても構わない。両記憶場所は例えばユーザにより選択させればよい。
【００９０】
図１８は、カード型放送受信装置２００を用いて番組を視聴する場合に、表示部３７５に表示されるウィンドウ（以下、視聴ウィンドウという）の例を示した図である。同図に示すように、視聴ウィンドウ４００においては、番組の映像が表示される番組表示画面４０４の上部に、チャンネル表示欄４０１及び番組表示欄４０３を有する。チャンネル表示欄にはチャンネルＩＤとチャンネル名が表示され、また当該欄右端のチャンネル切替ボタン４０２をユーザが操作入力部３７７を介してクリック等することによりチャンネルの切替（選局）を行なうことが可能となっている。また番組表示画面４０４の下部には音量調整エリア４０５が表示され、ユーザが当該エリア内の任意の位置又は両端のボタンをクリック等することにより音量調整を行なうことが可能となっている。
【００９１】
以上のように構成されたカード型放送受信装置２００及びノートＰＣにおいても、上記車載型放送受信再生装置１０と同様に、メモリカードインターフェース部３８４を介してメモリカード７０から契約者ＩＤ、装置ＩＤ及び契約期限情報を読み出して、ＰＣカードインターフェース部３７１を介して接続されたカード型放送受信装置２００のコンディショナル・アクセス部２４７において放送信号の再生権限を認証させることで、放送を視聴することが可能となる。すなわち、車載型の放送受信再生装置１０に接続していたメモリカード７０をノートＰＣ３００に接続しなおすだけで、ノートＰＣ３００及びカード型放送受信装置２００における受信契約を再度結ぶことなく放送を視聴することが可能となる。
【００９２】
また、上記車載型の放送受信再生装置１０と同様、メモリカード７０が初めてノートＰＣに接続された場合には、カード型放送受信装置２００に記憶された装置ＩＤを当該メモリカード７０に記憶させるとともに、通信部３８３によりネットワーク３を介して装置ＩＤを放送センタ１へ送信して放送センタ１のデータベースを更新させることもできる。
【００９３】
また、以上説明した車載型、カード型以外にも、例えば携帯型の放送受信再生装置においてもメモリカード７０のみで放送の視聴が可能である。当該携帯型の放送受信装置は、上記車載型の放送受信再生装置１０と基本的な構成は同様であるが、アンテナ、映像信号を表示するための液晶ディスプレイ、スピーカ等を全て内蔵して他の機器に接続等する必要がない点が車載型の放送受信再生装置１０と異なる点である。
【００９４】
なお、本発明は上述の実施形態にのみ限定されるものではなく、本発明の要旨を逸脱しない範囲内において種々変更を加え得ることは勿論である。
【００９５】
上述の実施形態においては、メモリカード７０が接続された状態でないと放送を視聴することができなかったが、例えば、放送受信再生装置が空の（何も記憶されていない）フラッシュメモリを内蔵しており、メモリカード７０が初めて接続されたときに上記契約者ＩＤや装置ＩＤ等の情報をメモリカード７０から読み込んで当該フラッシュメモリに書き込み、その後はメモリカード７０無しでも放送を視聴できるようにしても構わない。この場合、メモリカード７０の情報が書き換えられた後に初めて接続する場合も、フラッシュメモリの記憶内容を更新するようにすればよい。これにより、複数台の放送受信再生装置において同時に放送を視聴することが可能となる。また、例えばＲＡＭ等の揮発性のメモリに上記データを読み込んで、その後放送受信再生装置の電源を切るまでの間はメモリカード７０無しでも放送を視聴できるようにしても構わない。
【００９６】
また、上述の実施形態においては、メモリカード７０に契約者ＩＤや装置ＩＤを記憶していたが、メモリカード７０の代わりに例えばいわゆるＵＳＢメモリに記憶するようにしても構わない。
【００９７】
また、上述の実施形態においては契約者ＩＤと装置ＩＤを別々の情報として再生権限を認証していたが、例えば契約者ＩＤと装置ＩＤとを所定のルールで演算することで一つのＩＤを作成するようにしても構わない。
【００９８】
また、上述の実施形態においては、放送センタ１は、放送信号のスクランブルの際には、契約者ＩＤと装置ＩＤとを両方用いていたが、スクランブルには契約者ＩＤのみを用いて、装置ＩＤによる認証は放送受信再生装置１０に行なわせるようにしても構わない。
【００９９】
また、上述の実施形態における放送受信再生装置を、携帯電話で実現することもできる。これにより、放送受信契約と携帯電話回線の回線契約とを一の契約者ＩＤとしてサービスを提供することが可能となる。
【０１００】
また、上述の実施形態において、メモリカード７０に記憶された契約者ＩＤ及び装置ＩＤが、他のメモリカードに複製されるのを防止するためのコピーガード手段を設けてもよい。これにより、他のメモリカードを合い鍵として、例えば放送受信再生装置のみを入手した非契約者が放送を視聴してしまうような事態を防止することができる。
【図面の簡単な説明】
【０１０１】
【図１】本発明の一実施形態に係る衛星デジタル放送受信再生システムの構成を示した図である。
【図２】放送受信再生装置１０の外観を示す正面図である。
【図３】図２に示す放送受信再生装置本体３０を車載用クレードルから取り外した状態を示す斜視図である。
【図４】車載用クレードル２０の背面図である。
【図５】放送受信再生装置１０の構成を示すブロック図である。
【図６】メモリカード７０の構成を示した図である。
【図７】放送受信再生装置１０において放送信号が再生される際の動作の流れを示したフローチャートである。
【図８】記録したコンテンツ７９を再生する場合の動作の流れを示したフローチャートである。
【図９】装置ＩＤをメモリカード７０へ記憶する際の動作の流れを示したフローチャートである。
【図１０】カード型放送受信装置２００の外観を示す斜視図であって、アンテナ収容ケースを折り畳んだ状態を示している。
【図１１】カード型放送受信装置２００の外観を示す図であって、アンテナ収容ケースを開いた状態を示している。
【図１２】カード型放送受信装置２００がノートＰＣ３００のＰＣカードスロットに挿入された状態を示している。
【図１３】カード型の受信装置２００の内部構成を示すブロック図である。
【図１４】カード型の受信装置２００の第２のケースの断面図である。
【図１５】カード型の受信装置２００の第１のケースの断面図である。
【図１６】ノートＰＣ３００の構成を示したブロック図である。
【図１７】放送視聴アプリケーション３８６及びデータの詳細を示した図である。
【図１８】カード型放送受信装置２００を用いて番組を視聴する場合に、表示部３７５に表示される視聴ウィンドウの例を示した図である。
【符号の説明】
【０１０２】
１…放送センタ
２…放送衛星
３…ネットワーク
１０…放送受信再生装置
２０…車載用クレードル
３０…放送受信再生装置本体
４０…フロントエンド部
４３…コンディショナル・アクセス部
５０…バックエンド部
５６…主制御部
５７…ＲＡＭ
５８…ＲＯＭ
６０…メモリカードスロット
６１…インターフェース部
６２…通信部
７０…メモリカード
７６…契約者ＩＤ
７６…契約者ＩＤ
７７…契約期限情報
７９…コンテンツ
２００…カード型放送受信装置
３００…ノートＰＣ
３０２…ＰＣカードスロット
３７１…ＰＣカードインターフェース部
３８３…通信部
３８４…メモリカードインターフェース部
３８６…放送視聴アプリケーション
【図１】
2007019867.tif 000003
【図２】
2007019867.tif 000004
【図３】
2007019867.tif 000005
【図４】
2007019867.tif 000006
【図５】
2007019867.tif 000007
【図６】
2007019867.tif 000008
【図７】
2007019867.tif 000009
【図８】
2007019867.tif 000010
【図９】
2007019867.tif 000011
【図１０】
2007019867.tif 000012
【図１１】
2007019867.tif 000013
【図１２】
2007019867.tif 000014
【図１３】
2007019867.tif 000015
【図１４】
2007019867.tif 000016
【図１５】
2007019867.tif 000017
【図１６】
2007019867.tif 000018
【図１７】
2007019867.tif 000019
【図１８】
2007019867.tif 000020